(57)【特許請求の範囲】
【請求項１】
I：固定斜板制御装置（Ｆユニット）（３６）と、可変斜板制御装置（Ｖユニット）（３７）及び可変斜板制御装置（Ｖユニット）に作動的に接続された回転要素を備えている流体機械式変速ユニット（５１）と、
II：それぞれ回転中心線を備えている入力軸（３８）と出力軸（５０）であって、第１動力経路を構成する入力軸（３８）と出力軸（５０）と、
III：第１動力経路に並列な第２動力経路を構成する機械式動力変速ユニット、とを備えた小型エンジン用変速機であって、
前記機械式動力変速ユニットが、遊星キャリヤ（６）と、前記流体機械式変速ユニット（５１）と連動するようになっているクラッチ（２０）とを有する遊星ギアシステム（４９）であって、遊星キャリヤ（６）が、入力軸（３８）に配設されていること、
クラッチ（２０）が、出力軸（５０）、固定斜板制御装置（３６）、可変斜板制御装置（３７）、入力軸（３８）、及び遊星キャリヤ（６）とは異なる中心線に配設されていて、
クラッチ（２０）が、固定斜板制御装置（３６）、機械式動力変速ユニット、入力軸（３８）及び出力軸（５０）の総てのギア比を変えて、入力速度、出力速度、及び変速比に適応するようにしたことを特徴とする小型エンジン用変速機。
【請求項２】
前記遊星キャリヤ（６）が、小型エンジン用変速機のための出力部材となっている請求項１記載の小型エンジン用変速機。
【請求項３】
遊星ギアシステム（１５０）及び第２クラッチ（１２５）を増設することにより第３の作動モードを有する請求項１記載の小型エンジン用変速機。
【請求項４】
コントローラ（６３）を小型エンジン用変速機と連動させて多段モードの作動を制御するようになっている請求項３記載の小型エンジン用変速機。
【発明の詳細な説明】
【０００１】
【発明の属する技術分野】
本発明は、変速機に関し、より詳細には、小型エンジン用変速機に関する。
【０００２】
【従来の技術】
運転を容易にし、有用性を高めるために、自動変速機を備えていることが好ましい小型自動車は多い。これら小型自動車として、ＡＴＶ（全地形走行車）、トラクター、ユーティリティ車両、および小型自動車が挙げられる。
【０００３】
これらの小型自動車は、一般に２５馬力〜５０馬力のエンジンを有し、コストを低くし、効率をよくし、制御性を良好にし、かつ長さを短くするという共通の要求を有する。多くの自動車は、エンジンから変速機へ動力を伝達しなければならず、前車軸と後車軸の双方を駆動するものも多い。これらの自動車の一部において、現在、エンジンと変速機とは、単一のパッケージに一体化されている。
【０００４】
【発明が解決しようとする課題】
しかし、自動車の使用目的によって、必要な変速比の広がりの範囲は広くなる。また、変速機の構造は、特定の自動車の設計に応じて変わる。これら問題は、いずれもコストの主な決定要因となり得る。また、エンジンの速度には差があり、そのため、変速機の部品のサイズを定める上で影響がある。これらの違いを考慮すると、個々の自動車の容積は、低コストの製造を可能にするのに、一般的に十分ではない。
【０００５】
従って、本発明の主な目的は、種々の入力速度、出力速度、および変速比に適合するように、すべてのギア比を変えることができるようにした小型エンジン用変速機を提供することにある。
【０００６】
本発明の更に別の目的は、エンジンから変速機の反対の端部へ至るように動力を伝達し、かつ出力シャフトから、両端部または一方の端部に至るように動力を伝達できるようにした小型エンジン用変速機を提供することにある。
【０００７】
更に別の目的は、シャフトおよびドライブギアを含む２つの流体ユニットと、流体リザーバおよびクラッチシフト手段の組のための部品および位置を含むセンターハウジング部分を有し、変速機の各種の用途にわたって共通する、変速機を有する小型自動車用変速機を提供することにある。
【０００８】
本発明の更に別の目的は、ギア、流体ポンプ、ハウジング、またはコントローラを含む１つまたは複数のエンジン／変速機部品を共通的に利用し、これらを一体化できるようにした小型自動車用変速機を提供することにある。
【０００９】
これらの目的、およびそれ以外の目的は、以下の説明により、当業者には明らかとなると思う。
【００１０】
【課題を解決するための手段】
本発明は、基本的な設計アプローチにより、自動車の各種の要求に適合することができ、かつ自動車の所定の範囲にわたって、多くのキーとなる変速機の部品を備え、異なる自動車の要求に対して、基本ユニットを適合できるＨＭＴ（流体機械式変速機）を提供するものである。
【００１１】
本発明によると、用途に応じた２モードまたは３モードのいずれかを、ＨＭＴに設けることができる。第３モードは、他の２つのモードとは変速比の範囲が異なっている。この第３モードは、基本的な２モードパッケージに、遊星ギアシステム、４つの連動する駆動ギア、およびクラッチを増設することによって得られる。
【００１２】
流体機械式変速機は、流体部分を通過する平均動力の流れを低減させ、もって作動効率を高めるようになっている機械式動力伝達経路と並列流体変速動力経路を有することを特徴としている。機械式動力経路は、変速機の入力端または出力端のいずれかにおいて、動力流を合計するよう働く遊星ギアセット、すなわちシステムを一般に備えている。
【００１３】
並列動力経路が存在していることにより、出力速度のレンジ、またはトルク比は低減し、伝達される流体の動力を低減することができるようになっている。これによって、変速機のフルトルク、および速度レンジを得るために、多数のレンジまたはモードが必要となっている。多数のモードの効果は、効率を改善し、時にはコストを低減することにある。
【００１４】
各モードにおける出力速度のレンジ／トルク比の大きさは、効率およびコストの外に、ＨＳＴのサイズに対する入力動力の容量に影響を与えている。トルク比がより小さくなっているため、同じサイズの流体ユモードの数を、より多数とし、より小さいモード比、またはより大きい変速比のいずれか、または双方を得ることが可能であることは明らかである。これらの関係により、入力、変速比レンジ、および効率に対する多数の市場のニーズを満たすことができる汎用性のある構成が得られる。
【００１５】
流体変速機はユニットの一部であるので、モードのうちの１つ以上を流体式とすることができる。すなわち始動レンジ、換言するとモード１を備えない流体式にすることができる。
【００１６】
マルチモードのＨＭＴは、通常、流体部品を再使用し、かつ異なる機械式部品にクラッチ操作させることによって得られる。モードが流体機械式である場合、機械部品は遊星ギアシステムとなる。モードは、通常、速度またはトルク伝達を連続的とするために、シフト中に変速比の変化が生じないようにされている。更に、流体変速機は、正のフル変位位置から、中心を通って負のフル変位位置まで、ストローク移動され、入力された流体動力をフルに利用するようになっている。
【００１７】
これらの条件下では、流体変速機内で動力の流れを反転することによって、モードのシフトを行わなければならず、スムーズで連続したシフトを達成するには、損失動力の反転を考慮しなければならない。シフトを行う際には、モードの速度／トルク比を、他のモードから独立して選択するべき場合、他の任意のモードとは、別個の遊星要素を使用しなければならない。
【００１８】
【発明の実施の形態】
図１は、単一の低圧ポンプ６９を示す。このポンプは、チェックバルブ６５−１および６５−２を介して、ＨＳＴ５１へオイルを供給し、かつシフトバルブ５３および１５５へオイルを供給するようになっている。またポンプ６９は、低圧潤滑オイルを、レリーフバルブ６４を通過させた後にエンジンと変速機の双方に供給するようにもなっている。
【００１９】
このポンプは、エンジン１内またはＨＳＴ５１上のいずれかに設けることができるし、また、所望により、部品ごとに１つのポンプを設けてもよい。
【００２０】
コントローラ６３は、エンジン１とＨＳＴ５１の双方から信号を受信し、エンジンコントローラ６１、変速機コントローラ６２、ループクロスポートバルブ５６およびシフトバルブ５３および１６７へ制御信号を送る。エンジンと変速機の双方は、所望する場合、別個のコントローラを有することができるが、所定の統合された制御機能を達成するには、信号の伝送が必要である。これについては、米国特許第5,560,203号を参照されたい。
【００２１】
図１〜図４、図１１および図１２には、２モードＨＭＴが示されている。
【００２２】
図２は、１モードの切り換えをする２モードの流体機械式変速機（ＨＭＴ）を示している。ここでは、流体変速機５１、機械式クラッチ２０を備えるジャックシャフト４６、遊星ギアシステム４９および出力シャフト５０を備えている。
【００２３】
このＨＭＴは、可変斜板制御装置（Ｖユニット）に作動的に接続された固定された斜板制御装置（Ｆユニット）を備えている。このＨＭＴは、クラッチ２０が位置Ａにあるとき、流体作動モードでスタートする。この位置では、スライダー２４内のタングは、ギア１７を延長部のスロット２２に駆動自在に係合している。
【００２４】
ギアセット２／１０を経て、エンジン１から、ギアセット９／６を経て、ＨＳＴ５１から、またギアセット１７／１１を経て、ジャックシャフト４６から、出力シャフト５０へ動力が伝達される。
【００２５】
モード２では、ＨＳＴ５１および遊星ギアシステム４９を介して、動力を伝達しなければならない。これを行うには、クラッチ２０は位置Ｂに位置しなければならない。
【００２６】
ＨＭＴのモード１の終りに達すると、信号によってシフトシーケンスが開始される。このシーケンスの開始は、斜板位置センサー５５−１のようなＶユニット３７からの変位信号によって行うことが好ましいが、ＶユニットおよびＦユニットの速度信号、および圧力信号によっても行うことができる。このときに、クラッチ２０は、あらかじめ同期した速度で、スライダー２４とタング２４−２とを係合させ、ギア１８とスロット２３とを係合させ、（同じ変位ユニットを仮定した場合）Ｆユニット３６は、Ｖユニット３７よりも低速で作動する。速度差の大きさは、伝達される動力、および変速機５１のサイズに応じて決まるが、一般に、１５％よりも小さい。
【００２７】
コントローラ６３は、シフトシーケンス中に、動力の伝達、およびエンジン速度が速くなる傾向を防止するコントローラ６１を介して、エンジン１への燃料の供給を即座に停止する。
【００２８】
次に、クラッチ２０は、シフトバルブ５３により変速機内の動力源から外れる。シリンダ５２は、スロット２２からタング２４−１を外すように、ヨーク５６およびスライダー２４を移動させる。
【００２９】
動力が正方向に伝達される際、Ｆユニット３６はモータとして働き、ライン４３内のループ圧力の低下によってクラッチ２０が切られるとすぐに、Ｆユニット３６の速度をＶユニット３７の速度とほぼ等しくすることができる。
【００３０】
Ｆユニット３６がスピードアップし、ライン４３内のループ圧力が低くなった後に、制御装置６３はクロスポートバルブ５６を係合させ、小さい圧力低下の状態で、ループの間の流量差を可能にし、更にＦユニット３６とＶユニット３７との間の速度差を可能にする。
【００３１】
次に制御装置６３は、ヨーク５６およびシリンダ５２と共に、更にスライダー２４を移動させることにより、クラッチ２０を係合させ、位置Ｂにする。これによって、タング２４−２とスロット２３とが係合し、ギアセット１８／１９のドライブが可能となる。タング２４−２とスロット２３との間には速度差があるが、小さい速度差、および小さい動力条件で係合がなされる。
【００３２】
係合中、クラッチ２０は、シフトの完了後、ポンプとして作動しなければならないので、Ｆユニット３６を＋同期値までスピードアップする。変速要素は、正しい速度差の値によって、Ｖユニット３７を変位させ、シフトの前後で、ほぼ一定に止まることができるようなサイズとなっている。
【００３３】
次に、制御装置６３は、コントローラ６１によりエンジン燃料を回復させ、ループクロスポートバルブ５６を閉じる。バルブ５６は、常開または常閉タイプのものである。このバルブが開であれば、動力は生じない。このことが「クロスポート」なる用語を使用する理由である。モード２では、ＨＳＴ５１の動力の流れが反転し、変速比が変わらないまま、動力の送りが再開される。
【００３４】
図１は、クロスポートバルブによるスライダーをシーケンス制御するための、クラッチごとに設けられた１つのシフトバルブしか示していない。このシフトシーケンスは、１秒の何分の１かで完了し、タイミング制御されながら行われる。
【００３５】
シフト機能のタイミングを正しく制御するために、シリンダ５２および１５４の速度を制御するように、流量制御オリフィス６８および１６９が使用される。この制御は、事象トラッキング方法でも実行できる。このトラッキング方法では、スライダーの位置をその係合ポイントの中間に制御するために、第２シフトバルブを増設し、更にシフト状態をモニタするためのセンサーを増設しなければならない。
【００３６】
追加クラッチおよびシフトアクチュエータを増設することによって、別のモードとすることも可能である。図３〜図８を参照されたい。また、遊星ギアシステム１４９およびクラッチ１２４を有する図５に示された３モードシステムを参照されたい。
【００３７】
図５における各符号は、図２〜図４の符号と対応しているが、図５の符号には、１００を加えてある点が異なっている。従って、図２〜図４における部品５０は、図５では１５０となっている。
【００３８】
追加クラッチアクチュエータは、シリンダ１５４、ヨーク１５４およびスライダー１２８で構成されている。シフトシーケンスは、モード１から２へのシフトの場合と同じである。
【００３９】
ＨＭＴは、可変斜板制御装置（Ｖユニット）に作動的に接続された固定された斜板制御装置（Ｆユニット）を備えている。
【００４０】
基本部品グループは、流体変速機５１と、ジャックシャフト／クラッチ４６と、入力／遊星ギアシステム４９と、出力アセンブリ５０であり、基本制御要素は、アクチュエータ６２、２０および１２５と、バルブ５６と、コントローラ６３である。
【００４１】
流体式に実行される始動モードでは、エンジン１からの動力は、シャフト３８を通って、ギアセット２／１０へ伝えられ、流体変速機５１に入力される。Ｖユニット３７は、ゼロストロークでスタートし、動力は伝達されない。
【００４２】
オペレータ、およびプログラムが組み込まれた論理回路が命令すると、コントローラ６３は、Ｖユニット３７の斜板５７をストローク運動させるように、アクチュエータ６２に信号を出力する。制御ストローク６２により、正の変位をするようにＶユニット３７がストローク運動すると、ライン４３を介して、Ｆユニット３６へ流れが送られ（１４）、ギアセット９／８の回転がスタートする。ジャックシャフト４６へ動力が送られ、クラッチ２０は、タング２４−１とスロット２２とを接続するＡ位置にあり、ギアセット１７／１１へ動力が伝わる。
【００４３】
Ｖユニット３７が完全にストローク運動すると、出力１２、１５および／または１６は、モード１の最大前進速度に達する。モード１では、遊星ギアシステム４９が作動しない。コントローラ６３に設けられたＶユニット用のストローク制御論理回路は、任意のタイプのものでよく、米国特許第5,560,203号に記載されているものと類似のものでよい。
【００４４】
Ｖユニット３７が完全にストローク運動した位置にあると、ジャックシャフト４６のすべての要素は、同じ名目的速度となる。センサ５５−１によりシフトが始動される。このセンサは、斜板位置スイッチであることが好ましいが、連続センサーでもよい。クラッチ２０がシフトされ、ヨーク５６およびシリンダ５２により、スライダー２４が移動される。
【００４５】
シリンダ５２には、バルブ５３およびポンプ６９により作動オイルが供給される。クラッチへの流量は、センサー５５−１からの信号を受信するコントローラ６３によって調節される。クラッチ２０がＢ位置にシフトされると、タング２４−２はスロット２３へ接続され、ギアセット１８／１９へ動力が送られる。動力は、遊星ギアシステム４９へ送られ、更にギア１９を介してリング５へ送られ、シャフト３８を通して太陽ギア３へ送られ、並列動力経路が形成されていることに留意されたい。
【００４６】
動力は、２つの経路から、遊星ギア４−１、４−２および４−３、キャリア６、ギアセット７／１１、および出力シャフト５０へ伝達される。リング１９は、ＨＳＴ５１によって速度が制御されるので、出力シャフト５０では可変速度が制御される。コントローラ６３およびアクチュエータ６２は、正のフル変位位置から負のフル変位位置まで、Ｖユニット３７をストローク運動させ、ギアセット７／１１を介して送られる出力速度は、モード２の最大速度に達する。
【００４７】
クラッチ２０が位置Ｂへシフトした後に、Ｆユニット３６からＶユニット３７へ動力が流れ、ＨＳＴ５１内の圧力は、ライン４４へ切り換わる。モード２の第２の半分では、Ｖユニット３７のアングルは、ゼロを通って負の変位位置までストローク運動し、動力の流れは再び反転され、Ｖユニット３７からＦユニット３６へ伝達される。コントローラ６３内のＶユニット３７用のストローク制御論理回路は、モード１と一致している。
【００４８】
図５〜図１１、図１３〜図１５には、３モードＨＳＴが示されている。この３モードＨＳＴは、上記２モードに、遊星ギアシステム１５０およびクラッチ１２５を加えたものと類似している。３モード用の符号の付いた部品は、２モード用の符号に１００を加えたものと同じ構造となっている（すなわち２モード用のＨＳＴ５１は、３モード用のＨＳＴ１５１である）。
【００４９】
ギア比は、異なるトルク／速度比の広がりに適合するように異なっていてもよい。モード２では、スロット１２７へのタング１２８−１を介して、太陽ギア１０３を入力シャフト１３８に接続するのは、クラッチ１２５が位置Ａにある時である。これは、２モードの変速機の場合の動力の流れと同じである。
【００５０】
モード２の終了時には、Ｖユニット１３７は負の方向に完全にストローク運動しており、ＨＳＴの動力は、ライン１４４内でＶユニット１３７からＦユニット１３６へ流れる。この状態では、クラッチ１２５のすべての要素は、同じ名目上の速度にある。
【００５１】
斜板センサー１５５−２は、シフトを開始させ、コントローラ６３は、バルブ１６７へ信号を送り、バルブ１６７は、シリンダ１５４内の圧力を制御し、ヨーク１５７を移動させる。スライダー１２８は、タング１２８−２をスロット１２６に係合させ、ギアセット１２９−１３０は、入力シャフト１３８によって駆動され、リング１３２を介して、遊星ギアシステム１５０内の動力の流れを可能にする。
【００５２】
太陽ギア１０３は、入力シャフト１３８から外れ、自由に回転し、遊星ギアシステム１４９内の動力の流れを防止する。ここで、遊星ギアシステム１５０への動力は、Ｆユニット１３６から、ギアセット１１８／１１９／１３１を介して、太陽ギア１３４へも送られ、並列動力経路が形成されていることに留意されたい。
【００５３】
コントローラ６３およびアクチュエータ６２は、Ｖユニット１３７を負のフル変位位置から、正のフル変位位置まで、ストローク運動させ、最初にＦユニット１３６の速度をゼロまで減少させ、次にこの速度を正のフル速度まで増加させる。これによって、Ｆユニット１３６からの可変速度が、太陽ギア１３４の速度を調節でき、かつ入力１３８からの固定速度が、リング１３０の速度を決定できるようになり、よって出力速度を、その最大値まで高めることができるようになる。
【００５４】
クラッチ１４９が位置Ｂにシフトした後に、ＨＳＴ１５１内の圧力は、ライン１４３に切り換わり、動力は、Ｆユニット１３６からＶユニット１３７へ伝わる。Ｖユニット１３７のアングルが、ゼロを通って負の変位位置へストローク運動すると、動力の流れは反転し、動力は、Ｖユニット１３７からＦユニット１３６へ流れる。コントローラ６３内のＶユニット１３７のためのストローク制御論理回路は、モード１および２と一致している。
【００５５】
流体変速機５１（１５１）は、３モードバージョンと２モードバージョンとの双方で同じである。この変速機は、２モード変速において、低動力、低変速比の条件で適当な動力を提供し、更に３モード変速において、より高い動力、より高い変速比の条件でも、適当な動力を提供するようなサイズとなっている。
【００５６】
速度および遊星ギア比は、いずれの変数においても、約２：１の広がりにわたって、種々の自動車の条件に適合するように調節できる。個々のモードの変速比の広がりを狭くすると、入力動力容量が増加する。複数のモードを加えると、どのようにしてギア比および遊星ギア比を選択するかに応じて、変速比の広がりまたは入力動力、またはその双方が増加する。
【００５７】
各機能グループに対する一般に閉じた物理位置内で、ギア比、すなわち遊星ギア比を選択する際のフレキシビリティは大きい。ジャックシャフト４６（１４６）は、Ｆユニット３６（１３６）からの１つのドライブと、出力グループ５０（１５０）からの別のドライブとを有する。これらのドライブは、３つの異なる中心ライン上にある。これによって、ジャックシャフト中心ラインをわずかに変えるだけで、ジャックシャフトの双方のかみ合い機能グループにてギア比を大きく変えることができる。
【００５８】
更に、モード２の動力総和器となっている遊星ギアシステム４９（１４９）は、太陽ギア３（１０３）にて入力駆動され、リング５（１０５）は、Ｆユニット３６（１３６）によって駆動され、キャリア１０６は出力駆動される。これによって、３つの総和部材へ動力を容易に送ることができ、変速比の広がりを変える上での遊星ギアシステム４６（１４６）の比を、フレキシブルに選択することができる。
【００５９】
遊星ギアシステム１５０は、リング１３０に向いて入力駆動され、Ｆユニットは、太陽ギア１３４にて駆動され、キャリア１３５は、再び出力駆動される。これにより、動力を送ることが容易となり、遊星ギアシステム１５０のギア比の選択がフレキシブルとなる。
【００６０】
入出力位置に対する種々の自動車のニーズを満たすよう、ハウジング１４１を変えないで、ギアの中心ラインを移動させることができる。
【００６１】
５つの主要な機能グループ３７（１３７）、３６（１３６）、４６（１４６）、４９（１４９）、および５０（１５０）は、いずれも異なる中心ライン上にある。これにより、ギア比の選択がフレキシブルになる外に、変速機全体の長さを短いままにすることが可能となっている。
【００６２】
出力として、キャリアを備えた遊星ギアシステム４６（１４６）および１５０の構造により、ＰＴＯへの入力、およびフロントドライブおよびリアドライブへ出力するための通過ドライブが容易となっている。このことは、各センターラインに限られた機能を設けたことによって容易となっている。
【００６３】
このハウジング構造は、コスト的に効率的に、ギア比および遊星ギア比を変えることが可能となっている（図１１〜図１５）。すべてのバージョンに対して使用されるセンターハウジング１４１は、変速機のすべてのバージョンに対して同じである、Ｖユニット１３７、およびＦユニット１３６のための複雑な設計部品を備えている。
【００６４】
ハウジング１４１は、すべてのバージョンに対して使用されるモード２のクラッチ１２０のためのアクチュエータも備えている。このクラッチアクチュエータは、シリンダ１５２と、ヨーク１５６と、バルブ１５３とを有する。
【００６５】
ハウジング１４１は、斜板５７をストローク運動させ、センサー５５−１および１５５−２を取り付けるための手段をも有する。ハウジング１４１は、流体リザーバ１５９のためのスペース、および部品を有する。ハウジング１４１の背面１６０は平らであり、マニホールド１５２とエンドカバー１４０の双方のマウントを受け入れるようになっている。
【００６６】
ライン１４３および１４４を含むマニホールド１４２は、すべてのバージョンに対して同じであり、ハウジング１４１の背面１６０に取り付けられている。マニホールド１４２は、他のＨＳＴ回路要素、例えばポンプ６４、チェックバルブ６５−１および６５−２、およびクロスポートバルブ５６を備えることができる。
【００６７】
エンドカバー１３９および１４０は、ジャックシャフト／クラッチ１４６、入力／遊星ギアシステム１４９、使用する場合には、遊星ギアシステム／出力シャフト１５０、および出力シャフト１１５のためのベアリングサポート１５８−１、２などを備え、ギア比の変化、および出力シャフト位置の変化に応じ、異なるシャフトセンターライン位置に適合するように位置が調節される。
【００６８】
エンドカバー１３９は、エンジンハウジングとの一体化を含む、異なるエンジン取り付け形状に適合するように形状を変えることができる。ハウジング要素１６８は、エンジン構造に適応するようになっている。
【００６９】
図示の例では、伝達入力ギア１０７は、エンジンのカムシャフト、またはカウンターシャフトをドライブするギアでもあるが、このギアは、所望の場合には、エンジンから離間させることができる。エンドカバー１４０は、ギア比の差の外に、２モード変速または３モード変速に適合するように変えることができる。
【００７０】
クラッチ１２５のためのアクチュエータは、３モード変速に必要な場合には、エンドカバー１４０内に設けられ、バルブ１６７と、シリンダ１５４と、ヨーク１５７とを有する。エンドカバー１４０には、エンジンによって駆動されるＰＴＯ１２１のための取り付けフランジ１６６を設けることもできる。エンドカバー１３９と１４０の双方は、リザーバ１５９の端部を形成している。
【００７１】
本発明の利点は、次のとおりである。
１．用途の条件に応じて、２モードまたは３モードのいずれかをＨＭＴに提供できる。第３モードは、他の２つのモードとは変速比が独立している。この第３モードは、基本的な２モードパッケージに、１つの遊星ギアシステム、４つの連動する駆動ギアと１つのクラッチを増設することによって得られる。
【００７２】
２．種々の入力速度、出力速度、および変速比の広がり条件に適合するように、すべてのギア比を変えることができる。これは、自己の中心位置を有する各機能的動力伝達グループによって達成される。これによって、変速機の長さを短くすることも可能となっている。
【００７３】
３．エンジンから、変速機の他端部へ動力を通過伝達でき、出力シャフトから一方または両端へ動力を通過伝達できる変速機を提供できる。これは、遊星キャリアを出力部材とすることによって容易にできる。出力シャフトの一端は、必要に応じ、他端部から径方向に変位していてもよい。
【００７４】
４．シャフトおよび駆動ギアを含む２つの流体ユニットと、流体リザーバおよびクラッチシャフト手段の組のための特徴的部品および配置を有し、変速用途の範囲にわたって共通する中心ハウジング部分を含む変速機構造が提供される。この中心部分のための２つのエンドカバーは、機械式シャフト、非ＨＳＴ駆動ギア、エンジンマウント、ＰＴＯドライブ、およびクラッチシフト手段の第２の組のための部品および配置を含む。
【００７５】
５．ギア、流体ポンプ、ハウジング、またはコントローラを含む１つ以上のエンジン／変速機の部品を一体化し、共通に利用できる。
従って、本発明によれば、上記目的の少なくともすべてが達成されることが理解しうると思う。
【００７６】
関連出願
本願は、２００１年１月１８日に米国特許庁に出願された仮特許出願第60/262,328号の出願変更に基づく出願である。
【図面の簡単な説明】
【図１】本発明のＨＭＴとエンジン回路とを一体化した略図である。
【図２】２モードＨＭＴの略図である。
【図３】図２の回路における第１モードを示す略図である。
【図４】図２の回路における第２モードを示す略図である。
【図５】３モードＨＭＴの略図である。
【図６】図５の回路における第１モードを示す略図である。
【図７】図５の回路における第２モードを示す略図である。
【図８】図５の回路における第３モードを示す略図である。
【図９】３モードＨＭＴのためのギアとクラッチの配置を示す部分断面図である。
【図１０】図９に類似し、増設された関連構造を示す別の断面図である。
【図１１】スタンドアローン構造の２モードＨＭＴの側端面図である。
【図１２】図１１の構造の側面図である。
【図１３】エンジン一体化構造の３モードＨＭＴの側端面図である。
【図１４】図１３の構造の側面図である。
【図１５】３モードＨＭＴハウジング構造の断面図である。
【符号の説明】
１    エンジン
２／１０    ギアセット
４−１、４−２、４−３    遊星ギア
６    キャリア
９／６    ギアセット
１７／１１    ギアセット
１８／１９    ギアセット
２０    クラッチ
２２    スロット
２４    スライダー
２４−２    タング
５０    出力シャフト
５１    ＨＳＴ
５２    シリンダー
５３    シフトバルブ
５５−１    位置センサ
５６    ループクロスポートバルブ
６２    変速機コントローラ
６３    コントローラ
６４    レリーフバルブ
６５−１、６５−２    チェックバルブ
６８    オリフィス
６９    低圧ポンプ
１０３    太陽ギア
１２４    クラッチ
１２８    シリンダー
１３６    Ｆユニット
１３８    入力シャフト
１４０    エンドカバー
１４１    ハウジング
１４３、１４４    ライン
１４９、１５０    遊星ギアシステム
１５１    ＨＳＴ
１５２    マニホールド
１６７    シフトバルブ
１６９    オリフィス
【図１】
0004284024.tif 000002
【図２】
0004284024.tif 000003
【図３】
0004284024.tif 000004
【図４】
0004284024.tif 000005
【図５】
0004284024.tif 000006
【図６】
0004284024.tif 000007
【図７】
0004284024.tif 000008
【図８】
0004284024.tif 000009
【図９】
0004284024.tif 000010
【図１０】
0004284024.tif 000011
【図１１】
0004284024.tif 000012
【図１２】
0004284024.tif 000013
【図１３】
0004284024.tif 000014
【図１４】
0004284024.tif 000015
【図１５】
0004284024.tif 000016